(57)【要約】【課題】  簡単な構成で壁面からの突出距離を調整することができる上に、突出距離の調整の際に、シャワーバーとの接続が可能な所定の角度を容易に保つことができるシャワーバー固定具を提供することにある。【解決手段】  外側周面に雄螺子が形成されて浴室の壁面に対して略直角に突設される基台１と、前記雄螺子に螺合する雌螺子が内周面に形成される凹部３ａを一端面に備えた円柱状の固定部３と、開口の中心線が凹部３断面の中心線と略直交するとともに、シャワーバーを挿通固定する挿通孔４ａを有して、固定部３の他端面と連結してなる円筒状のフック部４とからなる固定具本体２とを有し、基台１の外側周面には、基台１の突設方向に延びる溝部１ａが形成され、凹部３ａの内側周面の所定位置には、溝部１ａに出入り可能な突起部６が突設され、突起部６が溝部１ａに嵌ったときの挿通孔４ａの開口の中心線が、シャワーバーの中心線と略平行になるように形成される。【選択図】  図２
2005281967.tif 000002
【特許請求の範囲】
【請求項１】
外側周面に雄螺子が形成されて浴室の壁面に対して略直角に突設される基台と、
前記雄螺子に螺合する雌螺子が内周面に形成される凹部を一端面に備えた円柱状の固定部と、開口の中心線が前記凹部断面の中心線と略直交するとともに、シャワーバーを挿通固定する挿通孔を有して、前記固定部の他端面と連続して形成される円筒状のフック部とからなる固定具本体と、
を有し、
前記基台の外側周面には、基台の突設方向に延びる溝部が形成され、
前記凹部の内側周面の所定位置には、前記溝部に出入り可能な突起部が突設され、
前記突起部が前記溝部に嵌ったときの前記挿通孔の開口の中心線が、シャワーバーの中心線と略平行になるように形成されていることを特徴とするシャワーバー固定具。
【請求項２】
前記突起部は、先端が球面形状であることを特徴とする請求項１に記載のシャワーバー固定具。
【請求項３】
前記突起部は、突設方向に弾性力が付勢されるような弾性体を介して前記凹部の内側周面に設置されていることを特徴とする請求項１もしくは請求項２のいずれかに記載のシャワーバー固定具。
【請求項４】
前記固定部の外側周面を摺動可能に設けられる短円筒状のカバーを有することを特徴とする請求項１乃至３のいずれかに記載のシャワーバー固定具。
【発明の詳細な説明】
【技術分野】
【０００１】
本発明は、シャワーバー固定具に関するものであり、より詳細には、浴室の壁面に取り付けてシャワーバーを固定するシャワーバー固定具に関するものである。
【背景技術】
【０００２】
従来のシャワーバー固定具としては、図４に示すような、側面視略Ｔ字型の上部シャワーバー固定具２１と、側面視略Ｌ字型の下部シャワーバー固定具２２によりシャワーバー２０を浴室の壁面の上下に取り付けるものが知られている。しかし、シャワー装置の設置位置が変更されて、シャワーバー２０の壁面からの距離の変更を余儀なくされる場合には、このシャワーバー固定具２１、２２は、浴室の壁面からの突出距離を調整する機能を有していないため、別途新たな部材を用意しなければならず、速やかな施工を行なうことができないという問題があった。また、浴室の壁面に取り付ける際の螺子の締め具合で長さを調整しようとした場合に、上部シャワーバー固定具２１と下部シャワーバー固定具２２との傾斜角度が異なってしまい、いずれか一方のシャワーバー固定具とシャワーバー２０の一端とを接続した場合に、他方のシャワーバー固定具とシャワーバー２０の他端とが接続できなくなるといった問題があった（特許文献１）。
【特許文献１】特開２００２−１９４７８５号公報
【発明の開示】
【発明が解決しようとする課題】
【０００３】
本発明は、このような点に鑑みてなされたものであり、その目的とするところは、簡単な構成で壁面からの突出距離を調整することができる上に、突出距離の調整の際に、シャワーバーとの接続が可能な所定の角度を容易に保つことができるシャワーバー固定具を提供することである。
【課題を解決するための手段】
【０００４】
上記した課題を解決するために、本発明の請求項１に係るシャワーバー固定具は、外側周面に雄螺子が形成されて浴室の壁面に対して略直角に突設される基台と、前記雄螺子に螺合する雌螺子が内周面に形成される凹部を一端面に備えた円柱状の固定部と、開口の中心線が前記凹部断面の中心線と略直交するとともに、シャワーバーを挿通固定する挿通孔を有して、前記固定部の他端面と連続して形成される円筒状のフック部とからなる固定具本体と、を有し、前記基台の外側周面には、基台の突設方向に延びる溝部が形成され、前記凹部の内側周面の所定位置には、前記溝部に出入り可能な突起部が突設され、前記突起部が前記溝部に嵌ったときの前記挿通孔の開口の中心線が、シャワーバーの中心線と略平行になるように形成されていることを特徴とする。
【０００５】
本発明の請求項２に係るシャワーバー固定具は、前記突起部の先端が球面形状であることを特徴とする。
【０００６】
本発明の請求項３に係るシャワーバー固定具は、前記突起部が、突設方向に弾性力が付勢されるような弾性体を介して前記凹部の内側周面に設置されていることを特徴とする。
【０００７】
本発明の請求項４に係るシャワーバー固定具は、前記固定部の外側周面を摺動可能に設けられる短円筒状のカバーを有することを特徴とする。
【発明の効果】
【０００８】
本発明の請求項１に係るシャワーバー固定具によると、基台の外側周面と凹部の内側周面が螺合されるので、固定具本体を回転させて螺子の締め具合を調整することにより、浴室の壁面からの突出長さを調整することが可能となり、また、基台の外側周面には、基台の突設方向に延びる溝部が形成され、凹部の内側周面には、前記溝部に出入り可能な突起部が突設されるので、前記突起部が前記溝部に嵌まった場合は固定具本体を回転するときの抵抗が変化し、１回転ごとにそれを認識することができるので、固定具本体が１回転したことを容易に把握することができ、その際、フック部の角度が常に一定となっている。さらに、突起部が溝部に嵌ったときの挿通孔の中心線が、シャワーバーの中心線と略平行になるように形成されているので、突出長さ調整して、突起部を溝部に嵌めた状態にすれば、フック部の挿通孔にシャワーバーをスムーズに挿通固定することができる。
【０００９】
本発明の請求項２に係るシャワーバー固定具によると、請求項１に記載の効果に加えて、突起部の先端が球面形状であるので、突起部が溝部に嵌まった状態から固定具本体を回転させる際、突起部が溝部に引っ掛かることがないため、よりスムーズな回転調整を行なうことができる。
【００１０】
本発明の請求項３に係るシャワーバー固定具によると、請求項１もしくは請求項２のいずれかに記載の効果に加えて、突起部が弾性体を介して固定部の側周内面に設置されているので、突起部が溝部に嵌まった状態から固定具本体を回転させる際、弾性体が収縮して突起部の突出が短くなってよりスムーズな回転調整を行なうことができる上に、突起部を溝部により深く嵌めることができるので、突起部が溝部に嵌まったことを認識しやすくなる。
【００１１】
本発明の請求項４係るシャワーバー固定具によると、請求項１乃至３のいずれかに記載の効果に加えて、前記円筒状部の側周部を摺動可能に設けられる短円筒状のカバーを有するので、調整後の基台部をカバーで遮蔽することができる。
【発明を実施するための最良の形態】
【００１２】
本発明の実施形態を図１乃至図３に基づいて説明する。図１乃至図３において、１は基台、１ａは溝部、２は固定具本体、３は固定部、３ａは凹部、４はフック部、４ａは挿通孔、５はカバー、６は突起部、７は弾性体、９は可動型シャワー、１０は固定型シャワー、１１はカラン、１１ａは切換部、１２はシャワーバー、１３は固定シャワーヘッド、１４はシャワーホース、１５は可動シャワーヘッド、１６、１７は係止具である。
【００１３】
図１は、本実施形態におけるシャワーバー固定具を備えたシャワー装置の概略を示す斜視図である。同図に示すように、本実施形態におけるシャワー装置は、カラン１１の上方に接続される固定型シャワー１０と、カラン１１の下方に接続される可動型シャワー９を有し、カラン１１の切換部１１ａを回転させることにより、お湯や水が流出されるシャワーを選択できるようになっている。
【００１４】
可動型シャワー９は、シャワーホース９の一端がカラン１１と接続されており、他端が可動シャワーヘッド１５に接続されている。このシャワーホース１４や可動シャワーヘッド１５は浴室の壁面に上下に固定された係止具１６、１７に取外し可能に係止され、使用時にはこの係止具１６、１７から取外して使用することができる。
【００１５】
固定型シャワー１０は、ステンレス鋼管からなるパイプ状のシャワーバー１２の一端がカラン１１と接続されており、上方は手前側にカーブを描いて屈曲されて、先端部には固定シャワーヘッド１３が取り付けられている。なお、シャワーバー１２の直線部分は鉛直方向に延びている。浴室の壁面に固定設置されたシャワーバー固定具の固定具本体２に、シャワーバー１２の直線部分が挿通固定されることにより、シャワーバー１２は浴室の壁面に固定される。
【００１６】
図２は、本実施形態におけるシャワーバー固定具の概略を示す斜視図である。同図に示すように、本実施形態におけるシャワーバー固定具は、基台１と固定具本体２から構成される。
【００１７】
基台１は、外側周面に雄螺子が形成されて浴室の壁面に対して略直角に突設される金属製の部材であって、突出される先端断面の中央部を浴室の壁面に螺子止めすることにより固定されている。また、基台１の外側周面には、基台１が浴室の壁面から突設している方向に、断面Ｕ字型の溝部１ａが外側周面の長手方向全般に渉って形成されている。この溝部１ａの深さは、基台１の略円形断面の中心線に向かう水平方向になるよう形成されている。
【００１８】
固定具本体２は、固定部３とフック部４が連結してなる金属部品であって、本実施形態における固定具本体２は、固定部３とフック部４が一体に形成されてなるものである。
【００１９】
固定部３は、円柱状部材の一方の端部に略円形に開口した凹部３ａが形成され、この凹部の内周面には、基台１の雄螺子に螺合する雌螺子が形成されている。なお、固定部３の円形断面の中心と凹部３ａの開口の中心は一致するように形成されており、基台１に固定された状態では、これらは基台１の断面中心とも略一致するように形成されている。また、凹部３ａの内周面の所定部位から、突起部６が突設されている。
【００２０】
フック部４は、シャワーバー１２を挿通固定する断面略円形の挿通孔４ａが形成された円筒状であり、側周部が固定部３の他方の一端と連続して形成されている。この挿通孔４ａは、略円形断面の中心線が固定部３の円形断面の中心線と略直交するように形成されている。
【００２１】
図３は、突起部６の概略を示す断面図である。同図に示すように、突起部６は、先端が球面形状の短円柱状部材であり、凹部３ａの中心線に向かって突設されている。この突起部６は、内周面の所定部位に設けられた凹所３ｂに、弾性体７を介して設置されている。弾性体７は、バネ材からなり、一端が突起部６の底面と、他端が凹所３ｂの底部と結合している。なお、この突起部６は、挿通孔４ａの略円形断面の中心線と略直交する方向に突設するように形成されている。
【００２２】
このように形成されたシャワーバー固定具による壁面からの突出寸法及びフック部４の角度の調整について以下に説明する。
【００２３】
浴室の壁面に固定された基台１に、固定具本体２を回転させて、固定部３の凹部３ａを螺合させていくと、突起部６が溝部１ａの嵌まっていない状態では、突起部６には凹所３ｂの底部方向（突設方向と反対の方向）に負荷がかかって弾性体７が収縮し、突起部６は凹所３ｂ内に収納される。さらに螺子を締め付けていき、突起部６が溝部１ａの位置にくると、負荷が解放されて、突起部６は溝部１ａに嵌まる。このとき、締め付け時の抵抗が変化するので、施工者にとっても突起部６が溝部１ａに嵌まったことが容易に認識される。このとき、溝部１ａは水平方向に形成され、突起部６の突出方向と挿通孔４ａの略円形断面の中心線とは略直交するので、挿通孔４ａの略円形断面の中心線は鉛直方向と略一致している。
【００２４】
この状態からさらに螺子を締め付けていくと、突起部６には再び負荷がかかって凹所３ｂ内に収納され、１回転すると再び溝部１ａに嵌まる。このようにして、カラン１１に接続されている部位での壁面からシャワーバー１２までの距離と、フック部４で挿通保持する部位での壁面からシャワーバー１２までの距離が略一致する距離になるまで螺子の締付けを行なう。このとき、突起部６が溝部１ａに嵌まる状態にしておくと、挿通孔４ａの略円形断面の中心線は常に鉛直方向と略一致している状態となり、調整後のフック部４へのシャワーバー１２の挿通固定がスムーズに行なわれる。
【００２５】
また、図２に示すように、固定部３の外側周面には貫通孔を有する短円筒状のカバー５が設けられており、このカバー５の貫通孔に固定部３が挿通されて、固定部３の外側周面を摺動可能に形成されている。上述したような固定具本体２の壁面からの突出寸法を調整した後に、カバー５を壁面側に摺動させて、基台１をカバー５で遮蔽することができる。そのため、外観上の見栄えがよくなる上に、螺子が形成されている部分への異物の付着を防止することができる。
【００２６】
以上のように、本実施形態におけるシャワーバー固定具によると、基台１の外側周面と凹部３ａの内側周面が螺合されるので、固定具本体２を回転させて螺子の締め具合を調整することにより、浴室の壁面からの突出長さを調整することが可能となり、また、基台１の外側周面には、基台の突設方向に延びる溝部１ａが形成され、凹部３ａの内側周面には、溝部１ａに出入り可能な突起部６が突設されるので、この突起部６が溝部１ａに嵌まった場合は固定具本体２を回転するときの抵抗が変化し、１回転ごとにそれを認識することができるので、固定具本体２が１回転したことを容易に把握することができ、その際、フック部４の角度が常に一定となっている。さらに、突起部６が溝部１ａに嵌ったときの挿通孔４ａの中心線が、シャワーバー１２の中心線と略平行になるように形成されているので、突出長さ調整して、突起部６を溝部１ａに嵌めた状態にすれば、フック部４の挿通孔４ａにシャワーバー１２をスムーズに挿通固定することができる。
【００２７】
また、突起部６の先端が球面形状であるので、突起部６が溝部１ａに嵌まった状態から固定具本体２を回転させる際、突起部６が溝部１ａに引っ掛かることがないため、よりスムーズな回転調整を行なうことができる。
【００２８】
さらに、突起部６は、弾性体７を介して固定部３の側周内面に形成された凹所３ｂに設置されているので、突起部６が溝部１ａに嵌まった状態から固定具本体２を回転させる際、弾性体７が収縮して突起部６の突出が短くなってよりスムーズな回転調整を行なうことができる上に、突起部６を溝部１ａにより深く嵌めることができるので、突起部６が溝部１ａに嵌まったことを認識しやすくなる。
【図面の簡単な説明】
【００２９】
【図１】本発明の実施形態におけるシャワーバー固定具を備えたシャワー装置の概略を示す斜視図である。
【図２】本発明の実施形態におけるシャワーバー固定具の概略を示す斜視図である。
【図３】突起部の概略を示す断面図である。
【図４】従来例を示す斜視図である。
【符号の説明】
【００３０】
１    基台
２    固定具本体
３    固定部
３ａ  凹部
４    フック部
４ａ  挿通孔
６    突起部
１２  シャワーバー
【図１】
2005281967.tif 000003
【図２】
2005281967.tif 000004
【図３】
2005281967.tif 000005
【図４】
2005281967.tif 000006